【手続補正書】
【提出日】平成16年7月27日(2004.7.27)
【手続補正１】
【補正対象書類名】明細書
【補正対象項目名】発明の名称
【補正方法】変更
【補正の内容】
【発明の名称】発光装置並びに発光素子を用いた表示部を備えた情報端末、携帯電話、デジタルスチルカメラ及びビデオカメラ
【手続補正２】
【補正対象書類名】明細書
【補正対象項目名】特許請求の範囲
【補正方法】変更
【補正の内容】
【特許請求の範囲】
【請求項１】
スイッチ素子と、第１のトランジスタと、第２のトランジスタと、発光素子と、信号線と、電源線とを有する発光装置であって、
前記スイッチ素子は、チャネル形成領域と、同じ導電型を示す第１乃至第３の不純物領域と、ゲート絶縁膜を介して前記チャネル形成領域と重なるゲート電極を有し、
前記発光素子は、陽極、陰極および前記陽極と前記陰極に挟まれた発光層を有し、
前記スイッチ素子の前記３つの不純物領域のうちの１つは前記信号線に接続されており、他の１つは前記第１のトランジスタのゲート電極に接続されており、他の１つは前記第１のトランジスタのドレイン領域に接続されており、
前記第２のトランジスタのソース領域とドレイン領域は、一方が前記電源線に、他方が前記第１のトランジスタのドレイン領域に接続されており、
前記第１のトランジスタのソース領域は、前記発光素子の前記陽極又は前記陰極のいずれか一方の電極に接続されていることを特徴とする発光装置。
【請求項２】
スイッチ素子と、第１のトランジスタと、第２のトランジスタと、発光素子と、信号線と、電源線と、第１の走査線と、第２の走査線とを有する発光装置であって、
前記スイッチ素子は、チャネル形成領域と、同じ導電型を示す第１乃至第３の不純物領域と、ゲート絶縁膜を介して前記チャネル形成領域と重なるゲート電極とを有し、
前記発光素子は、陽極、陰極および前記陽極と前記陰極に挟まれた発光層を有し、
前記スイッチ素子は、前記３つの不純物領域の１つが前記信号線に接続されており、他の１つが前記第１のトランジスタのゲート電極に接続されており、他の１つが前記第１のトランジスタのドレイン領域に接続されており、前記ゲート電極が、前記第１の走査線に接続されており、
前記第２のトランジスタは、ゲート電極が、前記第２の走査線に接続されており、ソース領域及びドレイン領域の一方が前記電源線に、他方が前記第１のトランジスタのドレイン領域に接続されており、
前記第１のトランジスタは、ソース領域が、前記発光素子の前記陽極又は前記陰極のいずれか一方の電極に接続されていることを特徴とする発光装置。
【請求項３】
請求項１又は２において、前記スイッチ素子は、前記チャネル形成領域と前記３つの不純物領域の間に、それぞれ、低濃度不純物領域を有することを特徴とする発光装置。
【請求項４】
請求項１又は２において、前記スイッチ素子は、前記チャネル形成領域と前記３つの不純物領域の間に、それぞれ、オフセット領域を有することを特徴とする発光装置。
【請求項５】
請求項１乃至４のいずれか１項において、前記発光素子はエレクトロルミネッセンスを用いた素子であることを特徴とする発光装置。
【請求項６】
請求項１乃至４のいずれか１項において、前記発光素子はＯＬＥＤであることを特徴とする発光装置。
【請求項７】
請求項１乃至６のいずれか１項に記載の発光装置を表示部に用いたことを特徴とするＴＶ放送受信用表示装置。
【請求項８】
請求項１乃至６のいずれか１項に記載の発光装置を表示部に用いたことを特徴とするパソコン用表示装置。
【請求項９】
請求項１乃至６のいずれか１項に記載の発光装置を表示部に用いたことを特徴とするゲーム機器。
【請求項１０】
請求項１乃至６のいずれか１項に記載の発光装置を表示部に用いたことを特徴とするナビゲーションシステム。
【請求項１１】
請求項１乃至６のいずれか１項に記載の発光装置を表示部に用いたことを特徴とする音響再生装置。
【請求項１２】
スイッチ素子と、第１のトランジスタと、第２のトランジスタと、発光素子と、信号線と、電源線とを有する画素を用いた表示部を備えた情報端末であって、
前記スイッチ素子は、チャネル形成領域と、同じ導電型を示す第１乃至第３の不純物領域と、ゲート絶縁膜を介して前記チャネル形成領域と重なるゲート電極を有し、
前記発光素子は、陽極、陰極および前記陽極と前記陰極に挟まれた発光層を有し、
前記スイッチ素子の前記３つの不純物領域のうちの１つは前記信号線に接続されており、他の１つは前記第１のトランジスタのゲート電極に接続されており、他の１つは前記第１のトランジスタのドレイン領域に接続されており、
前記第２のトランジスタのソース領域とドレイン領域は、一方が前記電源線に、他方が前記第１のトランジスタのドレイン領域に接続されており、
前記第１のトランジスタのソース領域は、前記発光素子の前記陽極又は前記陰極のいずれか一方の電極に接続されていることを特徴とする情報端末。
【請求項１３】
スイッチ素子と、第１のトランジスタと、第２のトランジスタと、エレクトロルミネッセンスを用いた発光素子と、信号線と、電源線と、第１の走査線と、第２の走査線とを有する画素を用いた表示部を備えた情報端末であって、
前記スイッチ素子は、チャネル形成領域と、同じ導電型を示す第１乃至第３の不純物領域と、ゲート絶縁膜を介して前記チャネル形成領域と重なるゲート電極とを有し、
前記発光素子は、陽極、陰極および前記陽極と前記陰極に挟まれた発光層を有し、
前記スイッチ素子は、前記３つの不純物領域の１つが前記信号線に接続されており、他の１つが前記第１のトランジスタのゲート電極に接続されており、他の１つが前記第１のトランジスタのドレイン領域に接続されており、前記ゲート電極が、前記第１の走査線に接続されており、
前記第２のトランジスタは、ゲート電極が、前記第２の走査線に接続されており、ソース領域及びドレイン領域の一方が前記電源線に、他方が前記第１のトランジスタのドレイン領域に接続されており、
前記第１のトランジスタは、ソース領域が、前記発光素子の前記陽極又は前記陰極のいずれか一方の電極に接続されていることを特徴とする情報端末。
【請求項１４】
請求項１２又は１３において、前記スイッチ素子は、前記チャネル形成領域と前記３つの不純物領域の間に、それぞれ、低濃度不純物領域を有することを特徴とする情報端末。
【請求項１５】
請求項１２又は１３において、前記スイッチ素子は、前記チャネル形成領域と前記３つの不純物領域の間に、それぞれ、オフセット領域を有することを特徴とする情報端末。
【請求項１６】
請求項１２乃至１５のいずれか１項において、前記発光素子はエレクトロルミネッセンスを用いた素子であることを特徴とする情報端末。
【請求項１７】
請求項１２乃至１５のいずれか１項において、前記発光素子はＯＬＥＤであることを特徴とする情報端末。
【請求項１８】
音声入力部、音声出力部、操作キー、アンテナ及び表示部を備えた携帯電話であって、
前記表示部の画素は、スイッチ素子と、第１のトランジスタと、第２のトランジスタと、発光素子と、信号線と、電源線とを有し、
前記スイッチ素子は、チャネル形成領域と、同じ導電型を示す第１乃至第３の不純物領域と、ゲート絶縁膜を介して前記チャネル形成領域と重なるゲート電極を有し、
前記発光素子は、陽極、陰極および前記陽極と前記陰極に挟まれた発光層を有し、
前記スイッチ素子の前記３つの不純物領域のうちの１つは前記信号線に接続されており、他の１つは前記第１のトランジスタのゲート電極に接続されており、他の１つは前記第１のトランジスタのドレイン領域に接続されており、
前記第２のトランジスタのソース領域とドレイン領域は、一方が前記電源線に、他方が前記第１のトランジスタのドレイン領域に接続されており、
前記第１のトランジスタのソース領域は、前記発光素子の前記陽極又は前記陰極のいずれか一方の電極に接続されていることを特徴とする携帯電話。
【請求項１９】
音声入力部、音声出力部、操作キー、アンテナ及び表示部を備えた携帯電話であって、
前記表示部の画素は、スイッチ素子と、第１のトランジスタと、第２のトランジスタと、発光素子と、信号線と、電源線と、第１の走査線と、第２の走査線とを有し、
前記スイッチ素子は、チャネル形成領域と、同じ導電型を示す第１乃至第３の不純物領域と、ゲート絶縁膜を介して前記チャネル形成領域と重なるゲート電極とを有し、
前記発光素子は、陽極、陰極および前記陽極と前記陰極に挟まれた発光層を有し、
前記スイッチ素子は、前記３つの不純物領域の１つが前記信号線に接続されており、他の１つが前記第１のトランジスタのゲート電極に接続されており、他の１つが前記第１のトランジスタのドレイン領域に接続されており、前記ゲート電極が、前記第１の走査線に接続されており、
前記第２のトランジスタは、ゲート電極が、前記第２の走査線に接続されており、ソース領域及びドレイン領域の一方が前記電源線に、他方が前記第１のトランジスタのドレイン領域に接続されており、
前記第１のトランジスタは、ソース領域が、前記発光素子の前記陽極又は前記陰極のいずれか一方の電極に接続されていることを特徴とする携帯電話。
【請求項２０】
請求項１８又は１９において、前記スイッチ素子は、前記チャネル形成領域と前記３つの不純物領域の間に、それぞれ、低濃度不純物領域を有することを特徴とする携帯電話。
【請求項２１】
請求項１８又は１９において、前記スイッチ素子は、前記チャネル形成領域と前記３つの不純物領域の間に、それぞれ、オフセット領域を有することを特徴とする携帯電話。
【請求項２２】
請求項１８乃至２１のいずれか１項において、前記発光素子はエレクトロルミネッセンスを用いた素子であることを特徴とする携帯電話。
【請求項２３】
請求項１８乃至２１のいずれか１項において、前記発光素子はＯＬＥＤであることを特徴とする携帯電話。
【請求項２４】
受像部、操作キー、外部接続ポート及び表示部を備えたデジタルスチルカメラであって、
前記表示部の画素は、スイッチ素子と、第１のトランジスタと、第２のトランジスタと、発光素子と、信号線と、電源線とを有し、
前記スイッチ素子は、チャネル形成領域と、同じ導電型を示す第１乃至第３の不純物領域と、ゲート絶縁膜を介して前記チャネル形成領域と重なるゲート電極を有し、
前記発光素子は、陽極、陰極および前記陽極と前記陰極に挟まれた発光層を有し、
前記スイッチ素子の前記３つの不純物領域のうちの１つは前記信号線に接続されており、他の１つは前記第１のトランジスタのゲート電極に接続されており、他の１つは前記第１のトランジスタのドレイン領域に接続されており、
前記第２のトランジスタのソース領域とドレイン領域は、一方が前記電源線に、他方が前記第１のトランジスタのドレイン領域に接続されており、
前記第１のトランジスタのソース領域は、前記発光素子の前記陽極又は前記陰極のいずれか一方の電極に接続されていることを特徴とするデジタルスチルカメラ。
【請求項２５】
受像部、操作キー、外部接続ポート及び表示部を備えたデジタルスチルカメラであって、
前記表示部の画素は、スイッチ素子と、第１のトランジスタと、第２のトランジスタと、発光素子と、信号線と、電源線と、第１の走査線と、第２の走査線とを有し、
前記スイッチ素子は、チャネル形成領域と、同じ導電型を示す第１乃至第３の不純物領域と、ゲート絶縁膜を介して前記チャネル形成領域と重なるゲート電極とを有し、
前記発光素子は、陽極、陰極および前記陽極と前記陰極に挟まれた発光層を有し、
前記スイッチ素子は、前記３つの不純物領域の１つが前記信号線に接続されており、他の１つが前記第１のトランジスタのゲート電極に接続されており、他の１つが前記第１のトランジスタのドレイン領域に接続されており、前記ゲート電極が、前記第１の走査線に接続されており、
前記第２のトランジスタは、ゲート電極が、前記第２の走査線に接続されており、ソース領域及びドレイン領域の一方が前記電源線に、他方が前記第１のトランジスタのドレイン領域に接続されており、
前記第１のトランジスタは、ソース領域が、前記発光素子の前記陽極又は前記陰極のいずれか一方の電極に接続されていることを特徴とするデジタルスチルカメラ。
【請求項２６】
請求項２４又は２５において、前記スイッチ素子は、前記チャネル形成領域と前記３つの不純物領域の間に、それぞれ、低濃度不純物領域を有することを特徴とするデジタルスチルカメラ。
【請求項２７】
請求項２４又は２５において、前記スイッチ素子は、前記チャネル形成領域と前記３つの不純物領域の間に、それぞれ、オフセット領域を有することを特徴とするデジタルスチルカメラ。
【請求項２８】
請求項２４乃至２７のいずれか１項において、前記発光素子はエレクトロルミネッセンスを用いた素子であることを特徴とするデジタルスチルカメラ。
【請求項２９】
請求項２４乃至２７のいずれか１項において、前記発光素子はＯＬＥＤであることを特徴とするデジタルスチルカメラ。
【請求項３０】
受像部、操作キー、外部接続ポート、音声入力部及び表示部を備えたビデオカメラであって、
前記表示部の画素は、スイッチ素子と、第１のトランジスタと、第２のトランジスタと、発光素子と、信号線と、電源線とを有し、
前記スイッチ素子は、チャネル形成領域と、同じ導電型を示す第１乃至第３の不純物領域と、ゲート絶縁膜を介して前記チャネル形成領域と重なるゲート電極を有し、
前記発光素子は、陽極、陰極および前記陽極と前記陰極に挟まれた発光層を有し、
前記スイッチ素子の前記３つの不純物領域のうちの１つは前記信号線に接続されており、他の１つは前記第１のトランジスタのゲート電極に接続されており、他の１つは前記第１のトランジスタのドレイン領域に接続されており、
前記第２のトランジスタのソース領域とドレイン領域は、一方が前記電源線に、他方が前記第１のトランジスタのドレイン領域に接続されており、
前記第１のトランジスタのソース領域は、前記発光素子の前記陽極又は前記陰極のいずれか一方の電極に接続されていることを特徴とするビデオカメラ。
【請求項３１】
受像部、操作キー、外部接続ポート、音声入力部及び表示部を備えたビデオカメラであって、
前記表示部の画素は、スイッチ素子と、第１のトランジスタと、第２のトランジスタと、発光素子と、信号線と、電源線と、第１の走査線と、第２の走査線とを有し、
前記スイッチ素子は、チャネル形成領域と、同じ導電型を示す第１乃至第３の不純物領域と、ゲート絶縁膜を介して前記チャネル形成領域と重なるゲート電極とを有し、
前記発光素子は、陽極、陰極および前記陽極と前記陰極に挟まれた発光層を有し、
前記スイッチ素子は、前記３つの不純物領域の１つが前記信号線に接続されており、他の１つが前記第１のトランジスタのゲート電極に接続されており、他の１つが前記第１のトランジスタのドレイン領域に接続されており、前記ゲート電極が、前記第１の走査線に接続されており、
前記第２のトランジスタは、ゲート電極が、前記第２の走査線に接続されており、ソース領域及びドレイン領域の一方が前記電源線に、他方が前記第１のトランジスタのドレイン領域に接続されており、
前記第１のトランジスタは、ソース領域が、前記発光素子の前記陽極又は前記陰極のいずれか一方の電極に接続されていることを特徴とするビデオカメラ。
【請求項３２】
請求項３０又は３１において、前記スイッチ素子は、前記チャネル形成領域と前記３つの不純物領域の間に、それぞれ、低濃度不純物領域を有することを特徴とするビデオカメラ。
【請求項３３】
請求項３０又は３１において、前記スイッチ素子は、前記チャネル形成領域と前記３つの不純物領域の間に、それぞれ、オフセット領域を有することを特徴とするビデオカメラ。
【請求項３４】
請求項３０乃至３３のいずれか１項において、前記発光素子はエレクトロルミネッセンスを用いた素子であることを特徴とするビデオカメラ。
【請求項３５】
請求項３０乃至３３のいずれか１項において、前記発光素子はＯＬＥＤであることを特徴とするビデオカメラ。